(57)【特許請求の範囲】
【請求項１】
映像光を投写するプロジェクタ部と、
前記プロジェクタ部により投写された前記映像光を表示する巻き取り式のスクリーンと、前記スクリーン及び前記プロジェクタ部が収納されるケースと、を備えるスクリーン部と、
回転可能な支持部を備え、前記プロジェクタ部と前記スクリーン部とを接続する接続アーム部とを備え、
前記プロジェクタ部は、前記接続アーム部を介し、前記スクリーン部によって保持され、
前記スクリーンを巻き取ることにより、前記スクリーンは前記ケースに収納され、
前記支持部を回転させることにより、前記プロジェクタ部は前記ケースに収納されることを特徴とする前面投写型表示装置。
【請求項２】
請求項１に記載の前面投写型表示装置において、前記接続アーム部は折り畳み可能であることを特徴とする前面投写型表示装置。
【請求項３】
請求項２に記載の前面投写型表示装置において、前記接続アーム部を折り畳むことによって、前記プロジェクタ部を前記スクリーン部に収納することができることを特徴とする前面投写型表示装置。
【請求項４】
請求項１に記載の前面投写型表示装置において、プロジェクタ部内部の熱を排気するための排気手段を更に備え、前記接続アーム部は、前記排気手段が排気する空気を流すためのダクトの機能を有することを特徴とする前面投写型表示装置。
【請求項５】
請求項１に記載の前面投写型表示装置において、前記プロジェクタ部は、映像光となる光を発生するランプと前記ランプを駆動するためのランプ駆動回路とを備え、
当該前面投写型表示装置の外部から前記ランプ駆動回路に供給される電気は、前記接続アーム部の備える電線を伝わって送電されることを特徴とする前面投写型表示装置。
【請求項６】
請求項１に記載の前面投写型表示装置において、前記プロジェクタ部は、映像光となる光を発生するランプを備え、前記ランプを駆動するためのランプ駆動回路は、前記スクリーン部に備え付けられ、
前記ランプ駆動回路から前記ランプに供給される電気は、前記接続アーム部の備える電線を伝わって送電されることを特徴とする前面投写型表示装置。
【請求項７】
請求項１に記載の前面投写型表示装置において、前記プロジェクタ部は、前記映像表示素子を駆動する映像表示素子駆動回路と前記映像表示素子駆動回路に対して映像信号を送信する映像信号送信回路とを備え、
当該前面投写型表示装置の外部から前記映像信号送信回路に送信される映像信号は、前記接続アーム部の備える信号線を伝わって送信されることを特徴とする前面投写型表示装置。
【請求項８】
請求項１に記載の前面投写型表示装置において、前記プロジェクタ部は、前記映像表示素子を駆動する映像表示素子駆動回路を備え、前記映像表示素子駆動回路に対して映像信号を送信する映像信号送信回路は、前記スクリーン部に備え付けられ、
前記映像信号送信回路から前記映像表示素子駆動回路に送信される映像信号は、前記接続アーム部の備える信号線を伝わって送信されることを特徴とする前面投写型表示装置。
【請求項９】
請求項１に記載の前面投写型表示装置において、前記スクリーン部は、前記映像表示素子を駆動する映像表示素子駆動回路と前記映像表示素子駆動回路に対して映像信号を送信する映像信号送信回路とを備え、
前記映像表示素子駆動回路から前記映像表示素子に送信される映像信号は、前記接続アーム部の備える信号線を伝わって送信されることを特徴とする前面投写型表示装置。
【請求項１０】
請求項１に記載の前面投写型表示装置において、前記スクリーン部はスピーカーを備え、前記スピーカーに音源信号を送信する音源信号送信回路は、前記スクリーン部に備え付けられていることを特徴とする前面投写型表示装置。
【請求項１１】
請求項１に記載の前面投写型表示装置において、前記プロジェクタ部はスピーカーを備え、前記スピーカーに音源信号を送信する音源信号送信回路は、前記スクリーン部に備え付けられ、
前記音源信号送信回路から前記スピーカーに送信される音源信号は、前記接続アーム部の備える信号線を伝わって送信されることを特徴とする前面投写型表示装置。
【請求項１２】
請求項１に記載の前面投写型表示装置において、前記接続アーム部はスピーカーを備え、前記スピーカーに音源信号を送信する音源信号送信回路は、前記スクリーン部に備え付けられ、
前記音源信号送信回路から前記スピーカーに送信される音源信号は、前記接続アーム部の備える信号線を伝わって送信されることを特徴とする前面投写型表示装置。
【請求項１３】
請求項１に記載の前面投写型表示装置において、前記スクリーン部は、スピーカーに音源信号を送信する音源信号送信回路を備え、当該前面投写型表示装置は、前記音源信号送信回路から、当該前面投写型表示装置とは別の位置に設置された前記スピーカーに音源信号を送信することができることを特徴とする前面投写型表示装置。
【請求項１４】
請求項１に記載の前面投写型表示装置において、スクリーン面での位置指示入力情報を取り込む入力装置を更に備え、
前記位置指示入力情報から変換された信号は、前記接続アーム部の備える信号線によって前記プロジェクタ部もしくは前記スクリーン部に送信され、前記位置指示入力情報によって当該前面投写型表示装置を操作することが可能であることを特徴とする前面投写型表示装置。
【請求項１５】
請求項１に記載の前面投写型表示装置において、当該前面投写型表示装置は、移動可能な移動式保持手段に保持されることを特徴とする前面投写型表示装置。
【発明の詳細な説明】
【０００１】
【発明の属する技術分野】
本発明は、各画素を構成する反射鏡の角度により光を制御する映像表示素子や液晶パネルなどの映像表示素子により形成した映像光を、投写レンズによりスクリーン上に拡大投写する前面投写型表示装置に関する。
【０００２】
【従来の技術】
従来、映像表示素子により形成した映像光を投写レンズによりスクリーン上に拡大投写する前面投写型表示装置として、図１７や図１８に示すようなプロジェクタとスクリーンが知られている。
【０００３】
図１７は可搬式のプロジェクタ１０１とスクリーン２０１の配置を示した側面からの概略図である。図１７においてプロジェクタ１０１は、液晶パネルを映像表示素子とした可搬式のプロジェクタであり、そして、スクリーン２０１に適切に映像表示できる位置に設置されて使用される。図１７において、プロジェクタ１０１は、机などの台の上に設置されている。また、スクリーン２０１は壁などに保持される構造となっている。
【０００４】
これにより、プロジェクタ１０１からスクリーン２０１に映像光が投写され、視聴者は大画面の映像を見ることができる。
【０００５】
また、図１８は天井に吊り下げる方式のプロジェクタ１０２とスクリーン２０２の配置を示した側面からの概略図である。図１８においてプロジェクタ１０２は、液晶パネルを映像表示素子とした天井に吊り下げる方式のプロジェクタであり、そして、スクリーン２０２に適切に映像表示できる位置に設置され、天井に保持されて使用される。また、スクリーン２０２は壁などに保持される構造となっている。
【０００６】
これにより、プロジェクタ１０２からスクリーン２０２に映像光が投写され、視聴者は大画面の映像を見ることができる。
【０００７】
【発明が解決しようとする課題】
しかし、図１７に示すようなプロジェクタ１０１とスクリーン２０１との関係にある前面投写型表示装置では、プロジェクタ１０１が可搬式であるため、投写場所を選べる反面、投写場所を固定して使用する場合、人が行動をする空間をプロジェクタが占めてしまうため、人が行動をする空間がせまくなるといった問題が起きる。また、使用時に合わせてプロジェクタを設置したり片づけたりする場合、設置や片づけにかかる時間が無駄となるといった問題が発生する。
【０００８】
一方、図１８に示すようなプロジェクタ１０２とスクリーン２０２との関係にある前面投写型表示装置では、プロジェクタ１０２を天井に吊り下げる方式であるため、プロジェクタを使用するたびに設置し直す必要もなく、人が行動をする空間をプロジェクタが占めてしまうという問題はなくなる。しかし、天井にプロジェクタを設置するため、取り付けのために天井を補強したり加工をしたりする必要がある。また、場合によっては高い位置にプロジェクタがあるためプロジェクタに必要な信号線や電線などのケーブル類を天井などの建築物に通したりする工事が必要となる。したがって、プロジェクタの設置が大掛かりで高価なものになりやすいといった問題が起きる。
【０００９】
そこで、本発明は、比較的安価で容易に設置できる前面投写型表示装置であって、人が行動をする空間を占めることがなく、大画面の映像を投写できる前面投写型表示装置を実現することにある。
【００１０】
【課題を解決するための手段】
（１）本発明の前面投写型表示装置は、映像表示素子により形成した映像光を投写レンズにより拡大投写するプロジェクタ部と、前記プロジェクタ部により投写された映像光を表示するスクリーン部と、前記プロジェクタ部と前記スクリーン部とを接続する接続アーム部とを備え、前記プロジェクタ部が、前記接続アーム部を介し、前記スクリーン部によって保持されることを特徴とする。
【００１１】
このような構成によれば、映像光を拡大投写するプロジェクタ部と映像光を表示するスクリーン部とにより大画面の映像が実現される。このとき、接続アーム部によりプロジェクタ部がスクリーン部に保持されるため、例えばスクリーン部を壁などに固定すれば、プロジェクタ部も固定され、結果としてプロジェクタ部を設置するための構造物が他に必要なくなる。したがって、天井など建築物の一部である構造物にプロジェクタ部を保持させるよりも、プロジェクタ部の設置において非常に容易で安価な構成となる。
【００１２】
また、接続アーム部を使って、プロジェクタ部をスクリーン部に保持するため、人が行動をする空間にプロジェクタ部が位置することを回避することができ、プロジェクタ部が人の行動をする空間を占めることがない。したがって、空間を無駄なく利用することができる。
【００１３】
さらに、接続アーム部によりプロジェクタ部とスクリーン部とを接続することで信号線や電線などのケーブル類の配線を容易に行うことができるようになるので、前面投写型表示装置内で構成部品を様々に配置することが可能となる。したがって、例えば、プロジェクタ部に映像の投写に最低限必要な部分のみを残すことで映像を投写する機能に特化させたシンプルでコンパクトなプロジェクタ部を実現したり、回路の配置やスピーカーなどの部品の配置を機能に合わせて自由に移動することで全体をシンプルで機能的に設計したりすることができる。
【００１４】
（２）上記（１）に記載の前面投写型表示装置においては、前記接続アーム部が折り畳み可能であることが好ましい。
【００１５】
このような構成によれば、前面投写型表示装置を使用しない場合に、接続アーム部を折り畳むことによって、プロジェクタ部をコンパクトに収納することが可能となり、人が行動をする空間以外にも全体の空間を広くすることができる。
【００１６】
（３）上記（１）に記載の前面投写型表示装置においては、前記接続アーム部を折り畳むことによって、前記プロジェクタ部を前記スクリーン部に収納することができることが好ましい。
【００１７】
このような構成によれば、前面投写型表示装置を使用しない場合に、プロジェクタ部を収納することによって、プロジェクタ部を埃などから保護することが可能となる。また、前面投写型表示装置全体がさらにコンパクトになるので人が行動をする空間以外に全体の空間をさらに広くすることができる。
【００１８】
（４）上記（１）に記載の前面投写型表示装置においては、プロジェクタ部内部の熱を排気するための排気手段を更に備え、前記接続アーム部は、前記排気手段が排気する空気を流すためのダクトの機能を有することが好ましい。
【００１９】
このような構成によれば、前面投写型表示装置が、排気手段を備えるため、効果的にプロジェクタ部内部を冷却することが可能となる。また、接続アーム部が、排気手段の排気する空気を流すためのダクトの機能を有するため、排気音や排気手段の機械音などの騒音を軽減させることができる。したがって、騒音を抑え、かつプロジェクタ部内部を効果的に冷却しながら、視聴者に大画面映像を提供することができる。
【００２０】
（５）上記（１）に記載の前面投写型表示装置においては、前記プロジェクタ部が、映像光となる光を発生するランプと前記ランプを駆動するためのランプ駆動回路とを備え、当該前面投写型表示装置の外部から前記ランプ駆動回路に供給される電気は、前記接続アーム部の備える電線を伝わって送電されることが好ましい。
【００２１】
このような構成によれば、前面投写型表示装置の外部からランプ駆動回路に電気を供給する電線が、接続アーム部を伝わり、まとまって配線されるため、一般に煩雑になり易い電線の接続において煩雑になることがない。また、結果としてスクリーン部を通過して電線が配線されることになるため、スクリーン部に供給される電源と共有化ができるという効果もある。
【００２２】
（６）上記（１）に記載の前面投写型表示装置においては、前記プロジェクタ部は、映像光となる光を発生するランプを備え、前記ランプを駆動するためのランプ駆動回路は、前記スクリーン部に備え付けられ、前記ランプ駆動回路から前記ランプに供給される電気は、前記接続アーム部の備える電線を伝わって送電されることが好ましい。
【００２３】
このような構成によれば、スクリーン部がランプを駆動するためのランプ駆動回路を備えるため、その分の重さとスペースがプロジェクタ部からなくなり、プロジェクタ部が非常にコンパクトになるとともに、プロジェクタ部を保持する接続アーム部の負担を軽減することができる。
【００２４】
さらに、ランプ駆動回路とランプとを結ぶ電線が接続アーム部を伝わり、まとまって配線されるため、電線の接続において煩雑になることがない。また、結果としてスクリーン部を通過して電線が配線されることになるため、スクリーン部に供給される電源と共有化ができるという効果がある。
【００２５】
（７）上記（１）に記載の前面投写型表示装置においては、前記プロジェクタ部は、前記映像表示素子を駆動する映像表示素子駆動回路と前記映像表示素子駆動回路に対して映像信号を送信する映像信号送信回路とを備え、当該前面投写型表示装置の外部から前記映像信号送信回路に送信される映像信号は、前記接続アーム部の備える信号線を伝わって送信されることが好ましい。
【００２６】
このような構成によれば、前面投写型表示装置の外部から映像信号送信回路に映像信号を送る信号線が、接続アーム部を伝わり、まとまって配線されるため、一般に煩雑になり易い信号線の接続において煩雑になることがない。
【００２７】
（８）上記（１）に記載の前面投写型表示装置においては、前記プロジェクタ部は、前記映像表示素子を駆動する映像表示素子駆動回路を備え、前記映像表示素子駆動回路に対して映像信号を送信する映像信号送信回路は、前記スクリーン部に備え付けられ、前記映像信号送信回路から前記映像表示素子駆動回路に送信される映像信号は、前記接続アーム部の備える信号線を伝わって送信されることが好ましい。
【００２８】
このような構成によれば、映像表示素子駆動回路と映像表示素子とをプロジェクタ部において近づけて配置できるため、特に低電圧で駆動したり、外部からのノイズの影響を受けやすいアナログ信号で駆動したりする映像表示素子においては、非常に効果的に外部からのノイズに対する悪影響を抑えることができる。
【００２９】
また、スクリーン部が、映像表示素子駆動回路に対して映像信号を送る映像信号送信回路を備えるため、その分の重さとスペースがプロジェクタ部からなくなり、プロジェクタ部が非常にコンパクトになるとともに、プロジェクタ部を保持する接続アーム部の負担を軽減することができる。
【００３０】
さらに、映像信号送信回路から映像表示素子駆動回路に映像信号を送る信号線が、接続アーム部を伝わり、まとまって配線されるため、信号線の接続において煩雑になることがない。
【００３１】
（９）上記（８）に記載の前面投写型表示装置においては、前記映像信号送信回路と前記映像表示素子駆動回路との間を伝わる映像信号は、ディジタル信号であることが好ましい。
【００３２】
このような構成によれば、信号線が接続アーム部を伝わって配線されるため、信号線を比較的長くすることで外部からのノイズが非常に入りやすい状態となるが、信号がディジタル信号であるため、非常に効果的に外部からのノイズの悪影響を抑えることができる。
【００３３】
（１０）上記（１）に記載の前面投写型表示装置においては、前記スクリーン部は、前記映像表示素子を駆動する映像表示素子駆動回路と前記映像表示素子駆動回路に対して映像信号を送信する映像信号送信回路とを備え、前記映像表示素子駆動回路から前記映像表示素子に送信される映像信号は、前記接続アーム部の備える信号線を伝わって送信されることが好ましい。
【００３４】
このような構成によれば、スクリーン部が映像信号送信回路と映像表示素子駆動回路を備えるため、その分の重さとスペースがプロジェクタ部からなくなり、プロジェクタ部が非常にコンパクトになるとともに、プロジェクタ部を保持する接続アーム部の負担を軽減することができる。
【００３５】
さらに、映像表示素子駆動回路と映像表示素子とを結ぶ信号線が接続アーム部を伝わり、まとまって配線されるため、信号線の接続において煩雑になることがない。
【００３６】
（１１）上記（１）に記載の前面投写型表示装置においては、前記スクリーン部はスピーカーを備え、前記スピーカーに音源信号を送信する音源信号送信回路は、前記スクリーン部に備え付けられていることが好ましい。
【００３７】
このような構成によれば、スピーカーがスクリーン部に配置されるため、映像の投写されるスクリーン側より音声が流れることになる。したがって、視聴者は、音と映像が一致して知覚できるため、違和感なく映像と音を楽しむことができる。
【００３８】
また、プロジェクタ部に音源信号送信回路を配置している場合に比べて、スピーカーの配置されるスクリーン側に音源信号送信回路があるため、信号の伝送に無駄がない構成となる。
【００３９】
（１２）上記（１）に記載の前面投写型表示装置においては、前記プロジェクタ部はスピーカーを備え、前記スピーカーに音源信号を送信する音源信号送信回路は、前記スクリーン部に備え付けられ、前記音源信号送信回路から前記スピーカーに送信される音源信号は、前記接続アーム部の備える信号線を伝わって送信されることが好ましい。
【００４０】
このような構成によれば、スピーカーの付いたプロジェクタ部の配置を工夫することによって臨場感のある音を視聴者に与えることができる。例えば、プロジェクタ部をスクリーン上部に保持するように接続アーム部で固定した場合、スピーカーは高い位置に配置されるため、他のスピーカーとの組み合わせで、立体感のある音を再現することもできる。
【００４１】
また、スクリーン部が音源信号送信回路を備えるため、その分の重さとスペースがプロジェクタ部からなくなり、プロジェクタ部が非常にコンパクトになるとともに、プロジェクタ部を保持する接続アーム部の負担を軽減することができる。
【００４２】
さらに、音源信号送信回路とスピーカーとを結ぶ信号線が、接続アーム部を伝わり、まとまって配線されるため、信号線の接続において煩雑になることがない。
【００４３】
（１３）上記（１）に記載の前面投写型表示装置においては、前記接続アーム部はスピーカーを備え、前記スピーカーに音源信号を送信する音源信号送信回路は、前記スクリーン部に備え付けられ、前記音源信号送信回路から前記スピーカーに送信される音源信号は、前記接続アーム部の備える信号線を伝わって送信されることが好ましい。
【００４４】
このような構成によれば、スピーカーの付いた接続アーム部の配置を工夫することによって臨場感のある音を視聴者に与えることができる。例えば、プロジェクタ部をスクリーン上部で保持するように接続アーム部で固定した場合、スピーカーは高い位置に配置されるため、他のスピーカーとの組み合わせで、立体感のある音を再現することもできる。
【００４５】
また、スクリーン部が音源信号送信回路を備えるため、その分の重さとスペースが接続アーム部からなくなり、プロジェクタ部が非常にコンパクトになるとともに、プロジェクタ部を保持する接続アーム部の負担を軽減することができる。
【００４６】
さらに、音源信号送信回路とスピーカーとを結ぶ信号線が、接続アーム部を伝わり、まとまって配線されるため、信号線の接続において煩雑になることがない。
【００４７】
（１４）上記（１）に記載の前面投写型表示装置においては、前記スクリーン部は、スピーカーに音源信号を送信する音源信号送信回路を備え、当該前面投写型表示装置は、前記音源信号送信回路から、当該前面投写型表示装置とは別の位置に設置された前記スピーカーに音源信号を送信することができることが好ましい。
【００４８】
このような構成によれば、前面投写型表示装置と別の位置に設置されたスピーカーの配置を工夫することによって臨場感のある音を視聴者に与えることができる。
【００４９】
また、スクリーン部が音源信号送信回路を備えるため、その分の重さとスペースがプロジェクタ部からなくなり、プロジェクタ部が非常にコンパクトになるとともに、プロジェクタ部を保持する接続アーム部の負担を軽減することができる。
【００５０】
（１５）上記（１）に記載の前面投写型表示装置においては、スクリーン面での位置指示入力情報を取り込む入力装置を更に備え、前記位置指示入力情報から変換された信号は、前記接続アーム部の備える信号線によって前記プロジェクタ部もしくは前記スクリーン部に送信され、前記位置指示入力情報によって当該前面投写型表示装置を操作することが可能であることが好ましい。
【００５１】
このような構成によれば、スクリーン面での位置指示入力情報によって当該前面投写型表示装置を操作することが可能であるため、例えば、スクリーン上における指示棒などで、遠隔操作により情報処理装置上でのアプリケーションを操作することなどが可能となる。その場合、位置指示入力情報を取り込む入力装置とプロジェクタ部との間での信号の送信が必要となるが、信号を送信する信号線は接続アーム部にまとまって設置されるため、信号線の接続において煩雑になることがない。
【００５２】
さらに、スクリーン上における指示棒などで映像と関連付けて遠隔操作を行う場合は、事前にスクリーン面に投写される映像の表示画面とスクリーンの位置関係のデータを入力する必要があるが、本発明の構成によれば、接続アーム部でプロジェクタ部とスクリーン部の相対的位置関係をほぼ固定できるので、スクリーン面に投写される映像の表示画面とスクリーンの位置との関係は変わらないことから、使用するたびにスクリーン面に投写される映像の表示画面とスクリーンの位置関係のデータを入力する必要がなくなる。
【００５３】
（１６）上記（１）に記載の前面投写型表示装置においては、当該前面投写型表示装置が、移動可能な移動式保持手段に保持されることが好ましい。
【００５４】
このような構成によれば、プロジェクタ部とスクリーン部とを接続する接続アーム部によってプロジェクタ部がスクリーン部に保持されるため、スクリーン部を移動可能な移動式保持手段に保持させれば前面投写型表示装置を移動して使うことが可能となる。また、プロジェクタ部がすでにスクリーン部によって保持されているため、前面投写型表示装置を移動してもプロジェクタ部を使用するたびに設置し直す必要もない。
【００５５】
【発明の実施の形態】
以下に、図面を用いて、本発明の実施例について説明する。
【００５６】
（実施形態１）
本発明における実施形態１を図１から図６に基づいて述べる。
【００５７】
図１は、実施形態１に係る前面投写型表示装置の斜視図である。図１に示されるように、前面投写型表示装置１０００は、映像表示素子により形成した映像光を投写レンズにより拡大投写するプロジェクタ部１１００と、プロジェクタ部１１００により投写された映像光を表示するスクリーン部１２００と、プロジェクタ部１１００とスクリーン部１２００とを接続する接続アーム部１３００とを備えている。
【００５８】
まず、プロジェクタ部１１００の構成について詳しく述べる。図２は、実施形態１に係るプロジェクタ部１１００の内部を示した上視図である。プロジェクタ部１１００は、図２の破線部で示されるように大きく分けて２つの部分から構成され、一つは、投写レンズや表示素子やランプなどを備える光学系部分１１１０で、もう一つは、映像処理回路や映像信号送信回路やランプ駆動回路などを備える回路系部分１１２０になる。
【００５９】
光学系部分１１１０において、映像光となる光を発生するランプ１１１１から射出された光は、光学系手段の一例である光導波管１１１２内で選択反射特性を有するミラー等により赤、緑、青の色光に分光されて導かれる。そして、映像表示素子である３枚の液晶パネル１１１３によって、それぞれの色光に対応して電気光学変調を受けた後、色光合成プリズム１１１４によって合成され、映像光として、短焦点で広角投写可能な投写レンズ１１１５によって前方スクリーン上に拡大投写される。
【００６０】
このとき、スクリーン面に対して映像光が斜めに入射するが、投写レンズの配置とレンズの種類の組み合わせにより、映像面がスクリーン上で台形に歪んで表示されないようにしている。なお、スクリーン上で台形に歪まないようにする方法としては、これ以外に、あらかじめ表示素子の映像を歪ませて補正する方法もある。
【００６１】
また、回路系部分１１２０において、ランプ駆動回路１１２１は、ランプ１１１１を点灯して駆動させるための電力を制御する回路で、映像信号送信回路１１２２は、映像表示素子を駆動するための表示素子駆動回路１１１６に対して映像信号を送信する回路となる。ここで、表示素子駆動回路１１１６は、液晶パネル１１１３の有する電極接続用の端子を備えたフレキシブル基板で液晶パネル１１１３と電気的に接続され、液晶パネル１１１３の構造に合わせた映像信号を送ることによって液晶パネル１１１３を駆動させる。
【００６２】
なお、映像の色合いや画質などを処理する映像処理回路は、回路系部分１１２０に含まれ、映像信号送信回路１１２２に映像信号が送られてくる前に信号の処理を行える順に配置されている。以降、映像処理回路や説明に無い回路など、回路系部分として一括に扱えるものについては、ランプ駆動回路１１２１や映像信号送信回路１１２２に付属する回路の一部として説明を省略する。
【００６３】
次に、スクリーン部１２００の構成について詳しく述べる。図３は、実施形態１に係る前面投写型表示装置を側面から見た透視図である。スクリーン部１２００は、プロジェクタ部１１００から投写される映像光を表示するスクリーン１２１０と、箱型ケース１２２０を備える。スクリーン１２１０は電動巻き取り式のスクリーンで、巻き取り前は、図３（ａ）に示すように展開され、巻き取り後は、図３（ｂ）のように箱部１２２０の内部に収納される。また、スクリーン１２２０を巻き取るための電源は電気コンセント１２２１により外部から供給される。そして、スクリーン部１２００は壁に固定され保持されている。
【００６４】
次に、接続アーム部１３００の構成について詳しく述べる。図４は、実施形態１に係る接続アーム部１３００の構造を示した概略図である。接続アーム部１３００は２本の棒状部材からなり、棒の一端をスクリーン部１２００の一部である箱型ケース１２２０に固定し、もう一端をプロジェクタ部１１００に固定している。これにより、プロジェクタ部１１００は、前記接続アーム１３００を介しスクリーン部１２００によって保持される。
【００６５】
さらに、接続アーム部１３００は、図４（ａ）に示すように回転できる支持部を複数備えるので、図４（ｂ）に示すように折り畳みが可能である。そして、接続アーム部１３００を折り畳むことにより、プロジェクタ部１１００は、スクリーン部１２００の箱型ケース１２２０内に収納され、前面投写型表示装置を使用しない場合は、埃などから保護される。さらに、接続アーム部１３００は、不図示の電動モータにより折り畳みが可能で、その電源は、電気コンセント１２２１から供給される電気であり、スクリーン部１２００との電源の共有化がされている。
【００６６】
なお、本発明の接続アーム部１３００は、基本的にプロジェクタ部１１００をスクリーン部１２００に保持させるものを示すものであって、形状が棒状に限らず板状や箱状のものでもよく、また、数量や折り畳み方法も本発明の主旨を逸脱しない範囲で変更が可能である。
【００６７】
次に、接続アーム部１３００の内部の構造について詳しく説明する。図５は、前面投写型表示装置を上方から見た透視図である。接続アーム部１３００は、内部が中空で、一方のアームには、ランプ駆動回路１１２１に電気を供給する電線１３１０と、映像表示素子駆動回路１１１６、映像信号送信回路１１２２に映像信号を送る信号線１３２０とが収納され、まとまって配線されている。なお、電線１３１０を伝わる電気は、電気コンセント１２２１を介して前面投写型表示装置の外部から供給される電気であり、スクリーン部１２００との電源の共有化がされている。そして、信号線１３２０を伝わる映像信号は、前面投写型表示装置の外部にあるビデオデッキなどの外部映像機器から、スクリーン部１２００にある信号線等を介して入力されている。したがって、前面投写型表示装置１０００の外部からランプ駆動回路１１２１に供給される電気は、接続アーム部の備える電線１３１０を伝わって送電され、前面投写型表示装置１０００の外部から映像信号送信回路１１２２に送信される映像信号は、前記接続アーム部の備える信号線１３１０を伝わって送信される。
【００６８】
また、もう一方のアームは、プロジェクタ部１１００内部の熱を排気するための排気手段である冷却ファン１３３０を備え、冷却ファン１３３０が排気する空気を流すためのダクトの機能を有している。そして、このアームの内側には振動を吸収する消音材が貼られている。なお、冷却ファン１３３０は、プロジェクタ部１１００内部の熱を排気するものであれば、配置や種類や数量等はこれに限らない。
【００６９】
以上により、実施形態１に係る前面投写型表示装置１０００においては、前面投写型表示装置を側面から見た概略図である図６に示すように、映像光を拡大投写するプロジェクタ部１１００と映像光を表示するスクリーン部１２００とにより大画面の映像が実現できる。このとき、プロジェクタ部１１００とスクリーン部１２００とを接続する接続アーム部１３００により、プロジェクタ部１１００がスクリーン部１２００に保持されるため、結果としてプロジェクタ部１１００を設置するための構造物が他に必要がなくなる。したがって、天井など建築物の一部である構造物にプロジェクタ部１１００を保持させるよりもプロジェクタ部１１００の設置が非常に容易で安価な構成となる。
【００７０】
また、接続アーム部１３００を使って、プロジェクタ部１１００をスクリーン部１２００に保持するため、人が行動をする空間にプロジェクタ部１１００が位置することを回避することができ、プロジェクタ部１１００が視聴者の行動をする空間を占めることがない。したがって、空間を無駄なく利用することができる。
【００７１】
さらに、プロジェクタ部１１００とスクリーン部１２００とが接続アーム部１３００により接続されているため、プロジェクタ部１１００とスクリーン部１２００との信号の送受信等が容易な構造となる。
【００７２】
したがって、比較的安価で容易に設置できる前面投写型表示装置であって、人が行動をする空間を占めることがなく、大画面の映像を投写できるとともに信号線や電線などのケーブル類の接続において煩雑さがない前面投写型表示装置が実現できる。
【００７３】
（実施形態２）
本発明における実施形態２を図７と図８に基づいて述べる。ただし、以下に説明する本実施の形態において、前に説明した実施の形態と同一の構成には、同一の符号を付し、共通する動作や作用の説明については省略する。また、同一名称を付している場合には、符号が相違しても機能はほとんど同一であるため基本的な説明は省略する。
【００７４】
図７は、実施形態２に係る前面投写型表示装置を上方から見た透視図である。本実施の形態である前面投写型表示装置２０００は、映像処理回路や映像信号送信回路やランプ駆動回路などを備える回路系部分が、プロジェクタ部１１００ではなく、スクリーン部１２００に取り付けられている点が先に説明した前面投写型表示装置１０００と異なる。
【００７５】
図７において、ランプ駆動回路２２２１や映像信号送信回路２２２２などを備える回路系部分は、スクリーン部１２００の一部である箱型ケース１２２０内部に備え付けられている。そして、ランプ１１１１とランプ駆動回路２２２１とを結ぶ電線２３１０と、映像表示素子駆動回路１１１６と映像信号送信回路２２２２とを結ぶ信号線２３２０は、接続アーム部１３００内に収納され、まとまって配線される。したがって、ランプ駆動回路２２２１からランプ１１１１に供給される電気は、接続アーム部１３００の備える電線を伝わって送電され、映像信号送信回路２２２２から映像表示素子駆動回路１１１６に送信される映像信号は、接続アーム部１３００の備える信号線２３２０を伝わって送信される。
【００７６】
次に、実施形態２に係る前面投写型表示装置の信号の流れについて詳しく述べる。図８は、実施形態２に係る前面投写型表示装置の信号の流れを示した模式図である。前面投写型表示装置２０００は、映像表示素子駆動回路１１１６と映像信号送信回路２２２２との間に、映像信号をアナログ信号からディジタル信号に変換するＡ／Ｄコンバータ２２２３と映像信号をディジタル信号からアナログ信号に変換するＤ／Ａコンバータ２１２４とを備えている。そして、Ａ／Ｄコンバータ２２２３は、映像信号送信回路２２２２のなかに含まれ、Ｄ／Ａコンバータ２１２４は、映像表示素子駆動回路１１１６のなかに含まれる。
【００７７】
これにより、映像信号送信回路２２２２から送られるアナログの映像信号は、Ａ／Ｄコンバータ２２２３によりディジタル信号に変換され、信号線２３２０により送られる。そして、信号線２３２０で送られた信号は、Ｄ／Ａコンバータ２１２４によりアナログ信号に変換され、映像表示素子駆動回路１１１６を介して液晶パネル１１１３に送られる。
【００７８】
よって、接続アーム部１３００の長さだけ信号線２３２０が長くなることで外部からのノイズの悪影響を受けやすい構成となるが、接続アーム部１３００を伝わって送られる信号をディジタル信号とすることで、外部からのノイズの悪影響を抑えている。
【００７９】
以上により、実施形態２に係る前面投写型表示装置２０００においては、スクリーン部１２００が、映像信号送信回路２２２２やランプ駆動回路２２２１などを備えるため、その分の重さとスペースがプロジェクタ部１１００からなくなり、プロジェクタ部１１００が非常にコンパクトになるとともに、プロジェクタ部１１００を保持する接続アーム部１３００の負担を軽減することができる。
【００８０】
したがって、比較的安価で容易に設置できる前面投写型表示装置であって、人が行動をする空間を占めることがなく、大画面の映像を投写できるとともに、信号線や電線の接続における煩雑さを解消し、外部からのノイズによる映像の悪化を抑えた前面投写型表示装置が実現できる。
【００８１】
なお、本実施形態では、外部映像機器からの信号がアナログ信号で、液晶パネル１１１３がアナログ駆動する場合における信号の流れの構成についての一例を述べたが、基本的に接続アーム部１３００を伝わる信号がディジタル信号であれば、このような構成に限定するものではなく適宜変更が可能である。
【００８２】
（実施形態３）
本発明における実施形態３を図９に基づいて述べる。ただし、以下に説明する本実施の形態において、前に説明した実施の形態と同一の構成には、同一の符号を付し、共通する動作や作用の説明については省略する。また、同一名称を付している場合には、符号が相違しても機能はほとんど同一であるため基本的な説明は省略する。
【００８３】
図９は、実施形態３に係る前面投写型表示装置を上方から見た透視図である。本実施の形態である前面投写型表示装置３０００は、映像表示素子駆動回路がプロジェクタ部１１００ではなく、スクリーン部１２００に取り付けられている点が先に説明した前面投写型表示装置２０００と大きく異なる。
【００８４】
図９において、映像表示素子駆動回路３１１６は、スクリーン部１２００の一部である箱型ケース１２２０内部に備え付けられている。そして、映像表示素子駆動回路３１１６と映像表示素子である液晶パネル１１１３とを結ぶ信号線３３２０は、接続アーム部１３００内に収納され、まとまって配線される。したがって、映像表示素子駆動回路３１１６から映像表示素子である液晶パネル１１１３に送信される映像信号は、接続アーム部１３００の備える信号線３３２０を伝わって送信される。
【００８５】
以上により、実施形態３に係る前面投写型表示装置３０００においては、スクリーン部１２００が映像信号送信回路２２２２と映像表示素子駆動回路３１１６を備えるため、その分の重さとスペースがプロジェクタ部１１００からなくなり、プロジェクタ部１１００が非常にコンパクトになるとともに、プロジェクタ部１１００を保持する接続アーム部１３００の負担を軽減することができる。さらに、映像表示素子駆動回路３１１６と映像表示素子（液晶パネル１１１３）とを結ぶ信号線３３２０が接続アーム部１３００を伝わり、まとまって配線されるため、信号線３３２０の接続において煩雑になることがない。
【００８６】
したがって、比較的安価で容易に設置できる前面投写型表示装置であって、人が行動をする空間を占めることがなく、大画面の映像を投写できるとともに、信号線の接続における煩雑さを解消した前面投写型表示装置が実現できる。
【００８７】
（実施形態４）
本発明における実施形態４を図１０と図１１に基づいて述べる。ただし、以下に説明する本実施の形態において、前に説明した実施の形態と同一の構成には、同一の符号を付し、共通する動作や作用の説明については省略する。また、同一名称を付している場合には、符号が相違しても機能はほとんど同一であるため基本的な説明は省略する。
【００８８】
図１０は、実施形態４に係る前面投写型表示装置を側面から見た概略図である。本実施の形態である前面投写型表示装置４０００は、前面投写型表示装置の各部にスピーカーが配置されている点が、先に説明した前面投写型表示装置２０００と異なる。
【００８９】
図１０において、スクリーン部１２００の一部であるスクリーン１２１０は、スピーカー４２１１を備え、同じくスクリーン部１２００の一部である箱型ケース１２２０は、スピーカー４２２１を備えている。また、プロジェクタ部１１００は、スピーカー４１０１を備え、接続アーム部１３００は、スピーカー４３０１を備えている。さらに、前面投写型表示装置４０００と別の位置には、スピーカー４４０１が設置されている。
【００９０】
次に、各スピーカーに音源信号を送る構成について詳しく説明する。図１１は、実施形態４に係る前面投写型表示装置を上方から見た透視図である。なお、図中において映像に関する回路および信号線については省略する。スピーカー４１０１，４２１１，４２２１，４３０１，４４０１に音源信号を送る音源信号送信回路４２２５は、スクリーン部１２００の一部である箱型ケース１２２０に備え付けられ、音源信号送信回路４２２５に送られる音源信号は、映像信号と同じようにビデオデッキなどの外部映像機器から、スクリーン部１２００にある信号線等を介して入力されている。
【００９１】
そして、スピーカー４１０１，４３０１に音源信号をおくる信号線４３２０と４３２１は、接続アーム部１３００を伝わり、まとまって配線されるので、音源信号送信回路４２２５からスピーカー４１０１，４３０１に送信される音源信号は、前記接続アーム部の備える信号線４３２０を伝わって送信される。
【００９２】
また、スピーカー４４０１へ送信される音源信号は、無線信号発信回路４２２６を介して、無線により音源信号送信回路４２２５から送られるので、前面投写型表示装置４０００は、音源信号送信回路４２２５から、前面投写型表示装置４０００とは別の位置に設置されたスピーカー４４０１に音源信号を送信することができる。
【００９３】
以上により、実施形態４に係る前面投写型表示装置４０００においては、スクリーン１２００部が、音源信号送信回路４２２５を備えるため、その分の重さとスペースがプロジェクタ部１１００からなくなり、プロジェクタ部１１００が非常にコンパクトになるとともに、プロジェクタ部１１００を保持する接続アーム部１３００の負担を軽減することができる。
【００９４】
また、スピーカー４２１１、４２２１がスクリーン部１２００に配置されるため、映像の投写されるスクリーン側より音声が流れることになる。したがって、視聴者は、音と映像が一致して知覚できるため、違和感なく映像と音を楽しむことができる。さらに、スピーカーを視聴者の前方と上方と空間内に立体的に配置することから、臨場感のある音を視聴者に与えることができる。
【００９５】
したがって、比較的安価で容易に設置できる前面投写型表示装置であって、人が行動をする空間を占めることがなく、また臨場感のある音を提供しながら大画面の映像を投写できるとともに、信号線の接続における煩雑さを解消した前面投写型表示装置が実現できる。
【００９６】
なお、スピーカーの配置は、上述で説明した構成に限らず、位置や個数の組み合わせなど適宜変更が可能である。
【００９７】
（実施形態５）
本発明における実施形態５を図１２と図１３に基づいて述べる。ただし、以下に説明する本実施の形態において、前に説明した実施の形態と同一の構成には、同一の符号を付し、共通する動作や作用の説明については省略する。また、同一名称を付している場合には、符号が相違しても機能はほとんど同一であるため基本的な説明は省略する。
【００９８】
図１２は、実施形態５に係る前面投写型表示装置の斜視図である。本実施の形態である前面投写型表示装置５０００は、スクリーン面での位置指示入力情報を取り込む入力装置をスクリーン部１２００が備える点が、先に説明した前面投写型表示装置２０００と異なる。
【００９９】
図１３において、指示棒５５００は先端から超音波を発生する指示棒で、スクリーン部１２００の端部には、指示棒５５００から発生する超音波を取り込む２つのマイクロフォン５２３０、５２３０が備え付けてある。つまり、指示棒５５００から発信する超音波が位置指示入力情報となり、マイクロフォン５２３０がスクリーン面での位置指示入力情報を取り込む入力装置となる。
【０１００】
このような構成で、例えば、指示棒５５００にしたがってスクリーン１２１０上に線や文字を表示する場合を考える。図１３に、位置指示入力情報を取り込んで映像情報に反映させる装置構成の模式図を示す。スクリーン部１２００に備え付けられた発信回路５２４１からの信号に応じて指示棒５５００から発信された超音波は、２つのマイクロフォン５２３０、５２３０で受信される。そして、受信した信号は、スクリーン部１２００に備え付けられた受信回路５２４２を介して、演算回路５２４３に送られ、スクリーン１２１０上の指示棒位置の位置情報に変換される。ここで、位置情報は、超音波発信回路からの信号の情報と２つのマイクロフォン５２３０、５２３０が受けた超音波の信号差の情報から算出される。
【０１０１】
そして、変換された信号は、同じくスクリーン部１２００に備え付けられた制御回路５２４４によって映像を制御する映像信号情報の一部としてさらに変換される。例えば、指示棒５５００にしたがってスクリーン１２１０上の映像画面に線や文字を表示するように設定されていた場合、位置情報を使って、指定の位置に線や文字の映像を反映させる信号への変換が制御回路５２４４で行われることになる。
【０１０２】
そして、さらに変換された信号は、映像信号送信回路２２２２からプロジェクタ部１１００にある映像表示素子駆動回路１１１６に送られ、映像表示素子である液晶パネル１１１３に伝わる。そして、最終的に位置指示入力情報は映像に反映され、映像としてスクリーン１２１０上に指示棒５５００で線や文字を書いているように表示される。このとき、映像信号送信回路２２２２から映像表示素子駆動回路１１１６に伝わる信号、つまり、位置指示入力情報から変換された信号は、接続アーム部１３００の備える信号線５３２０によって送信される。
【０１０３】
以上により、実施形態５に係る前面投写型表示装置５０００においては、スクリーン１２１０上における指示棒５５００などで、遠隔操作により情報処理装置上でのアプリケーションを操作することなどが可能となる。その場合、位置指示入力情報を処理して映像として投写するために、位置指示入力情報を取り込む入力装置とプロジェクタ部１１００との間で信号の送信が必要となるが、信号を送信する信号線５３２０は接続アーム部１３００にまとまって配線されるため、信号線の接続において煩雑になることがない。
【０１０４】
さらに、スクリーン１２１０上における指示棒５５００などで映像と関連付けて遠隔操作を行う場合は、事前にスクリーン面に投写される映像の表示画面とスクリーン１２１０の相対位置関係のデータを入力する必要があるが、本発明の構成によれば、接続アーム部１３００でプロジェクタ部１１００とスクリーン部１２００の相対位置関係をほぼ固定することができ、スクリーン面に投写される映像の表示画面とスクリーン１２１０の相対位置関係は変わらないことから、使用するたびにスクリーン面に投写される映像の表示画面とスクリーン１２１０の相対位置関係のデータを入力する必要がなくなる。
【０１０５】
したがって、比較的安価で容易に設置できる前面投写型表示装置であって、人が行動をする空間を占めることがなく、大画面の映像を投写できるとともに、信号線の接続における煩雑さを解消し、スクリーン１２１０上における指示棒５５００などで、遠隔操作により情報処理装置上でのアプリケーションを操作することなどが容易に行える前面投写型表示装置が実現できる。
【０１０６】
なお、本実施形態では、位置指示入力情報及びスクリーン面での位置指示入力情報を取り込む入力装置として超音波とマイクロフォンを用いる構成について説明したが、この構成に限定するものではなく、位置指示入力情報にレーザー光を用いたものや入力位置を検出可能な感圧式のスクリーンにしたものでも良い。
【０１０７】
また、位置指示入力情報から変換された信号が、接続アーム部１３００の備える信号線５３２０によって送信されるものであれば、情報の伝達の経路および回路構成は図１３に示すような構成に限らない。
【０１０８】
さらに、本実施形態では、指示棒５５００にしたがってスクリーン１２１０上に線や文字を表示するといったように前面投写型表示装置にあるアプリケーションを操作する場合について述べたが、それ以外にも、前面投写型表示装置に取り付けられたパソコンのような外部接続機器を、スクリーン１２１０上の映像と関連付けて操作する場合についても、スクリーン１２１０上での位置指示入力情報で前面投写型表示装置を介して間接的に外部接続機器にあるアプリケーションを操作しているので、同様にスクリーン１２１０上での位置指示入力情報で前面投写型表示装置を操作していることを意味するものとする。
【０１０９】
（実施形態６）
本発明における実施形態６を図１４と図１５に基づいて述べる。ただし、以下に説明する本実施の形態において、前に説明した実施の形態と同一の構成には、同一の符号を付し、共通する動作や作用の説明については省略する。また、同一名称を付している場合には、符号が相違しても機能はほとんど同一であるため基本的な説明は省略する。
【０１１０】
図１４は、実施形態６に係る前面投写型表示装置の斜視図である。本実施の形態である前面投写型表示装置６０００は、スクリーン面での位置指示入力情報が光であり、スクリーン面での位置指示入力情報を取り込む入力装置をプロジェクタ部１１００が備える点が、先に説明した前面投写型表示装置５０００と大きく異なる。
【０１１１】
図１４において、指示棒６５００は、先端から輝点を発光する指示棒で、プロジェクタ部１１００には、指示棒６５００から発光する輝点を取り込むＣＣＤカメラ６１３０が備え付けてある。つまり、指示棒６５００から発光する輝点が位置指示入力情報となり、ＣＣＤカメラ６１３０がスクリーン面での位置指示入力情報を取り込む入力装置となる。
【０１１２】
このような構成で、例えば、指示棒６５００にしたがってスクリーン上１２１０に線や文字を表示する場合を考える。図１５に、位置指示入力情報を取り込んで映像情報に反映させる装置構成の模式図を示す。
【０１１３】
図１５において、指示棒６５００から発光する輝点は、プロジェクタ部１１００が備えるＣＣＤカメラ６１３０に受信され、その信号は、同じくプロジェクタ部１１００に備え付けられた受信回路６１４２を介して、スクリーン部１２００の備える演算回路６２４３に送られスクリーン１２１０上の指示棒位置の位置情報に変換される。ここで、位置情報は、ＣＣＤカメラ６１３０が取り込んだスクリーン面での輝点の位置を示す画像から算出されている。また、受信回路６１４２から演算回路６２４３に伝わる信号、つまり、位置指示入力情報から変換された信号は、接続アーム部１３００の備える信号線６３２０によって送信されている。
【０１１４】
そして、変換された信号は、同じくスクリーン部１２００に備え付けられた制御回路６２４４によって映像を制御する映像信号情報の一部としてさらに変換される。例えば、指示棒６５００にしたがってスクリーン１２１０上の映像画面に線や文字を表示するように設定されていた場合、位置情報を使って、指定の位置に線や文字の映像を反映させる信号への変換が制御回路６２４４で行われることになる。
【０１１５】
そして、さらに変換された信号は、映像信号送信回路２２２２からプロジェクタ部１１００にある映像表示素子駆動回路１１１６に送られ、映像表示素子（液晶パネル１１１３）に伝わる。そして、最終的に位置指示入力情報は映像に反映され、映像としてスクリーン１２１０上に指示棒６５００で線や文字を書いているように表示される。このとき、映像信号送信回路２２２２から映像表示素子駆動回路１１１６に伝わる信号、つまり、位置指示入力情報から変換された信号は、接続アーム部１３００が備える信号線６３２１によって送信される。
【０１１６】
以上により、実施形態６に係る前面投写型表示装置６０００においては、スクリーン１２１０上における指示棒６５００などで、遠隔操作により情報処理装置上でのアプリケーションを操作することなどが可能となる。その場合、位置指示入力情報を処理して映像として投写するために、位置指示入力情報を取り込む入力装置とプロジェクタ部１１００との間で信号の送信が必要となるが、信号を送信する信号線６３２０、６３２１は接続アーム部１３００にまとまって配線されるため、信号線の接続において煩雑になることがない。
【０１１７】
さらに、スクリーン１２１０上における指示棒６５００などで映像と関連付けて遠隔操作を行う場合は、事前にスクリーン面に投写される映像の表示画面とスクリーン１２１０の相対位置関係のデータを入力する必要があるが、本発明の構成によれば、接続アーム部１３００によってプロジェクタ部１１００とスクリーン部１２００の相対的位置関係をほぼ固定することができるので、スクリーン面に投写される映像の表示画面とスクリーン１２１０の相対位置関係は変わらないことから、使用するたびにスクリーン面に投写される映像の表示画面とスクリーンの相対位置関係のデータを入力する必要がなくなる。
【０１１８】
したがって、比較的安価で容易に設置できる前面投写型表示装置であって、人が行動をする空間を占めることがなく、大画面の映像を投写できるとともに、信号線の接続における煩雑さを解消し、スクリーン１２１０上における指示棒６５００などで、遠隔操作により情報処理装置上でのアプリケーションを操作することなどが容易に行える前面投写型表示装置が実現できる。
【０１１９】
なお、本実施形態では、位置指示入力情報とスクリーン面での位置指示入力情報を取り込む入力装置に輝点とＣＣＤカメラ６１３０を用いる構成について説明したが、この構成に限らず、輝点を赤外光にして、ＣＣＤカメラ６１３０を赤外線用ＣＣＤカメラにするなど変更も可能である。
【０１２０】
また、位置指示入力情報から変換された信号が、接続アーム部１３００が備える信号線６３２０、６３２１によって送信されるものであれば、情報の伝達の経路および回路構成は図１５に示すような構成に限らない。
【０１２１】
さらに、本実施形態では、指示棒６５００にしたがってスクリーン１２１０上に線や文字を表示するといったように前面投写型表示装置にあるアプリケーションを操作する場合について述べたが、それ以外にも、前面投写型表示装置に取り付けられたパソコンのような外部接続機器を、スクリーン１２１０上の映像と関連付けて操作する場合についても、スクリーン１２１０上での位置指示入力情報で前面投写型表示装置を介して間接的に外部接続機器にあるアプリケーションを操作しているので、同様にスクリーン１２１０上での位置指示入力情報で前面投写型表示装置を操作していることを意味するものとする。
【０１２２】
（実施形態７）
本発明における実施形態７を図１６に基づいて述べる。ただし、以下に説明する本実施の形態において、前に説明した実施の形態と同一の構成には、同一の符号を付し、共通する動作や作用の説明については省略する。また、同一名称を付している場合には、符号が相違しても機能はほとんど同一であるため基本的な説明は省略する。
【０１２３】
図１６は実施形態７に係る前面投写型表示装置７０００を側面から見た外略図である。本実施の形態では、前面投写型表示装置が壁のような固定したものに保持されるのではなく、移動可能な移動式保持手段に保持される点が、先に説明した前面投写型表示装置と異なる。
【０１２４】
図１６（ａ）において、前面投写型表示装置７０００は、移動可能な移動式保持手段７６００に保持される。移動可能な移動式保持手段７６００は、金属パイプなどをつなぎ合せた構造体で、床等に固定されていないため移動が可能である。
【０１２５】
また、移動可能な移動式保持手段７６００は、図１６（ｂ）に示すように簡単に移動が可能となる車輪７６１０がついたものであって良い。
【０１２６】
なお、本実施形態においては、スクリーン部１２１０と移動式保持手段７６００が一体であったとしても、前面投写型表示装置７０００を移動可能な移動式保持手段７６００に取り付けたことを意味している。また、移動可能なものに保持される構造であれば、例えば、ホワイトボードや自動車や掲示板などに本発明の前面投写型表示装置を取り付けた場合も、前面投写型表示装置を移動可能な移動式保持手段７６００に取り付けたことを意味している。
【０１２７】
以上により、実施形態７に係る前面投写型表示装置７０００においては、プロジェクタ部１１００とスクリーン部１２００とを接続する接続アーム部１３００により、プロジェクタ部１１００がスクリーン部１２００に保持されるため、スクリーン部１２００を移動可能な移動式保持手段７６００に保持させ、固定することよって前面投写型表示装置７０００を移動して使うことが可能となる。また、プロジェクタ部１１００がすでにスクリーン部１２００に保持されているため、前面投写型表示装置７０００を移動してもプロジェクタ部１１００を使用するたびに設置し直す必要がない。
【０１２８】
したがって、比較的安価で容易に設置できる前面投写型表示装置であって、人が行動をする空間を占めることがなく、大画面の映像を投写できるとともに、場所を移動して使用できる前面投写型表示装置が実現できる。
【０１２９】
なお、いままで説明した各実施の形態では、表示素子として液晶パネル１１１３を用いた構成について説明したが、各画素を構成する反射鏡の角度により光を制御する映像表示素子を用いたものや、ランプ等を用いないで表示素子自体が発光するものなど、これらに限らず、本発明の主旨を逸脱しない範囲で変更が可能である。
【０１３０】
また、いままで説明した実施の形態のいくつかでは前面投写型表示装置の外部にある外部機器から信号が送られてくる構成について説明したが、外部映像機器が前面投写型表示装置の内部にあっても、見かけ上、一体になっているだけで機能としては分離して扱えるので前面投写型表示装置の外部から信号が送られてくることと同じ扱いとする。
【０１３１】
【発明の効果】
本発明の前面投写型表示装置は、発明の実施の形態で説明したように映像表示素子により形成した映像光を投写レンズにより拡大投写するプロジェクタ部と、プロジェクタ部により投写された映像光を表示するスクリーン部と、プロジェクタ部とスクリーン部とを接続する接続アーム部とを備え、プロジェクタ部が、接続アーム部を介し、スクリーン部によって保持される。これにより、比較的安価で容易に設置できる前面投写型表示装置であって、人が行動をする空間を占めることがなく、大画面の映像を投写できる前面投写型表示装置を実現することができる。
【０１３２】
さらに、接続アーム部によりプロジェクタ部とスクリーン部とを接続することで信号線や電線などのケーブル類の配線を容易に行うことができるようになるので、前面投写型表示装置内で構成部品を様々に配置することが可能となる。したがって、例えば、プロジェクタ部に映像の投写に最低限必要な部分のみを残すことで映像を投写する機能に特化させたシンプルでコンパクトなプロジェクタ部を実現したり、回路の配置やスピーカーなどの部品の配置を機能に合わせて自由に移動することで全体をシンプルで機能的に設計したりすることができる。
【図面の簡単な説明】
【図１】本発明の実施形態１に係る前面投写型表示装置の斜視図。
【図２】本発明の実施形態１に係るプロジェクタ部の内部を示した上視図。
【図３】本発明の実施形態１に係る前面投写型表示装置を側面から見た透視図。
【図４】本発明の実施形態１に係る接続アーム部の構造を示した概略図。
【図５】本発明の実施形態１に係る前面投写型表示装置を上方から見た透視図。
【図６】本発明の実施形態１に係る前面投写型表示装置を側面から見た概略図。
【図７】本発明の実施形態２に係る前面投写型表示装置を上方から見た透視図。
【図８】本発明の実施形態２に係る前面投写型表示装置の信号の流れを示した模式図。
【図９】本発明の実施形態３に係る前面投写型表示装置を上方から見た透視図。
【図１０】本発明の実施形態４に係る前面投写型表示装置を側面から見た概略図。
【図１１】本発明の実施形態４に係る前面投写型表示装置を上方から見た透視図。
【図１２】本発明の実施形態５に係る前面投写型表示装置の斜視図。
【図１３】本発明の実施形態５に係る位置指示入力情報を取り込んで映像情報に反映させる装置構成の模式図。
【図１４】本発明の実施形態６に係る前面投写型表示装置の斜視図。
【図１５】本発明の実施形態６に係る位置指示入力情報を取り込んで映像情報に反映させる装置構成の模式図。
【図１６】本発明の実施形態７に係る前面投写型表示装置を側面から見た概略図。
【図１７】従来の可搬式のプロジェクタとスクリーンの配置を示した側面からの概略図。
【図１８】従来の天井に吊り下げる方式のプロジェクタとスクリーンの配置を示した側面からの概略図。
【符号の説明】
１０１，１０２…プロジェクタ
２０１，２０２…スクリーン
１０００，２０００，３０００，４０００，５０００，６０００，７０００…前面投写型表示装置
１１００…プロジェクタ部
１１１０…光学系部分
１１１１…ランプ
１１１２…光導波管
１１１３…液晶パネル
１１１４…光合成プリズム
１１１５…投写レンズ
１１１６，２１１６，３１１６…表示素子駆動回路
１１２０…回路系部分
１１２１，２２２１…ランプ駆動回路
１１２２，２２２２…映像信号送信回路
１２００…スクリーン部
１２１０…スクリーン
１２２０…箱型ケース
１２２１…電気コンセント
１３００…接続アーム部
１３１０，２３１０…電線
１３２０，２３２０，３３２０…信号線
１３３０…冷却ファン
２２２３…Ａ／Ｄコンバータ
２１２４…Ｄ／Ａコンバータ
４１０１，４２１１，４２２１，４３０１，４４０１…スピーカー
４２２５…音源信号送信回路
４２２６…無線信号発信機
４３２０，４３２１…信号線
５２３０…マイクロフォン
５２４１・・・発信回路
５２４２，６１４２…受信回路
５２４３，６２４３…演算回路
５２４４，６２４４…制御回路
５３２０，６３２０，６３２１…信号線
５５００，６５００…指示棒
６１３０…ＣＣＤカメラ
７６００…移動式保持手段
７６１０…車輪
【図１】
0004078877.tif 000002
【図２】
0004078877.tif 000003
【図３】
0004078877.tif 000004
【図４】
0004078877.tif 000005
【図５】
0004078877.tif 000006
【図６】
0004078877.tif 000007
【図７】
0004078877.tif 000008
【図８】
0004078877.tif 000009
【図９】
0004078877.tif 000010
【図１０】
0004078877.tif 000011
【図１１】
0004078877.tif 000012
【図１２】
0004078877.tif 000013
【図１３】
0004078877.tif 000014
【図１４】
0004078877.tif 000015
【図１５】
0004078877.tif 000016
【図１６】
0004078877.tif 000017
【図１７】
0004078877.tif 000018
【図１８】
0004078877.tif 000019